(57)【要約】【課題】電気掃除機用吸込具に拭き効果をもたせるとともに、長期間の使用に対し、床面への傷つきをなくし、拭き機能の低下を抑制する。【解決手段】電気掃除機用吸込具１０の下面の吸引口１６の前方または後方に拭きブラシ１９を設け、拭きブラシ１９には、弾力性を有するとともに支持部２４により支持される非直線状の植毛繊維２５からなるブラシ体２２と、端部が支持部２４に支持されるとともにブラシ体２２の周りを包む布状体２３とを備えた。【選択図】図５
2011010980.tif 000002
【特許請求の範囲】
【請求項１】
略長方形形状の底面に被掃除面における塵埃を吸引する吸引口を有する吸込具本体と、
前記吸引口の前方または後方で前記吸込具本体の底面の長手方向に設けられ床面の塵埃を除塵する拭きブラシとを備えた電気掃除機用吸込具において、
前記拭きブラシは、支持部により支持されるとともに弾力性を有する非直線状の植毛繊維からなるブラシ体と、端部が前記支持部に支持されるとともに該ブラシ体の周りを包む布状体とを備えたことを特徴とする電気掃除機用吸込具。
【請求項２】
前記植毛繊維の形状を波状に構成したことを特徴とする請求項１記載の電気掃除機用吸込具。
【請求項３】
前記植毛繊維の形状をループ状に構成したことを特徴とする請求項１記載の電気掃除機用吸込具。
【請求項４】
前記植毛繊維の先端形状をカギ状に構成したことを特徴とする請求項１記載の電気掃除機用吸込具。
【発明の詳細な説明】
【技術分野】
【０００１】
本発明は電気掃除機用吸込具に係り、特に、床面の塵埃を除塵する拭きブラシを備えた電気掃除機用吸込具に関するものである。
【背景技術】
【０００２】
図９は従来の電気掃除機用吸込具の構造を示す断面図である。従来の電気掃除機用吸込具１００は下面に吸気口１０１を備えており、床面上に落ちた埃やゴミなどを吸引するように構成されているが、床面上の拭き掃除ができるように、吸気口１０１の後方に拭き部材１０２を設けている。
【０００３】
図１０は上記拭き部材１０２の構造を示す断面図である。拭き部材１０２は、合成樹脂製の支持体１０５に接着された直線状の起毛布やスポンジなどの弾性体１０４を、塵埃捕集性を有する微細繊維からなる不織布などの布状体１０３で覆って形成され、床面上に落ちた塵埃は布状体１０３が床面に接触することにより拭き掃除ができるように構成されている（例えば特許文献１）。
【先行技術文献】
【特許文献】
【０００４】
【特許文献１】特開平１０−１４８２８号公報（第４頁、図７）
【発明の概要】
【発明が解決しようとする課題】
【０００５】
従来の電気掃除機用吸込具は上記のように構成されているので、床面上では布状体１０３が床面に接触し拭き掃除が出来るように構成されている。しかし、弾性体１０４をスポンジで構成した場合、長期間の使用により布状体１０３が磨耗して穴が開くと、スポンジが外部に露出してしまい、さらに使用を続けると、床面との摩擦によりスポンジがボロボロになり、スポンジの削りカスが床面に散乱するとともに、拭き効果が低下するといった課題があった。
【０００６】
また、弾性体１０４を直線状の起毛布で構成した場合、吸込具１００を前方に押したときには、起毛布先端部は根元部分に対し後方に変形し、後方に引いたときには起毛布先端部は根元部分に対し前方に変形する。吸込具を前方に押してから後方に引くとき、または後方に引いてから前方に押すときには、起毛布の変形方向が逆転し、このときに起毛布が床面に対し強い圧力で押圧するとともに、電気掃除機の使用者は、起毛布による反発力を感じ、操作感がよくないという課題があった。
【０００７】
本発明は上記課題を解決するためになされたものであり、布状体が磨耗しても拭き効果の低下を抑制するとともに、操作感がよく、使い勝手のよい電気掃除機用吸込具を提供することを目的とするものである。
【課題を解決するための手段】
【０００８】
本発明に係る電気掃除機用吸込具は、略長方形形状の底面に吸引口を有する吸込具本体と、吸引口の前方または後方で前記吸込具本体の底面の長手方向に設けられ床面の塵埃を除塵する拭きブラシとを備えた電気掃除機用吸込具において、拭きブラシは、支持部により支持されるとともに弾力性を有する非直線状の植毛繊維からなるブラシ体と、端部が支持部に支持されるとともにブラシ体の周りを包む布状体とを備えたものである。
【発明の効果】
【０００９】
本発明に係る電気掃除機用吸込具は、電気掃除機用吸込具を前後方向に押し引きする際の操作感がよく、使い勝手がよい。さらに、布状体が破れた場合でも、床面に対するブラシ体の植毛繊維の接触面積が大きく、拭き効果の低下を抑制することができる。
【図面の簡単な説明】
【００１０】
【図１】本発明の実施の形態１に示す電気掃除機用吸込具を備えた電気掃除機の全体構成図である。
【図２】本発明の実施の形態１に示す電気掃除機吸込具の上面外観を示す斜視図である。
【図３】本発明の実施の形態１に示す電気掃除機吸込具の下面外観を示す斜視図である。
【図４】本発明の実施の形態１に示す電気掃除機吸込具の拭きブラシと床面との関係を模式的に示す断面図である。
【図５】本発明の実施の形態１に示す拭きブラシと電気掃除機吸込具の取付けを示す断面図である。
【図６】本発明の実施の形態１に示す拭きブラシにおけるブラシ体の植毛繊維の動作を示す動作図である。
【図７】本発明の実施の形態２に示す拭きブラシにおけるブラシ体の植毛繊維の形状を示す概略図である。
【図８】本発明の実施の形態３に示す拭きブラシにおけるブラシ体の植毛繊維の形状を示す概略図である。
【図９】従来の電気掃除機用吸込具の構造を示す断面図である。
【図１０】従来の電気掃除機用吸込具の拭き部材の構造を示す断面図である。
【発明を実施するための形態】
【００１１】
[実施の形態１]
図１は本発明の実施の形態１に示す電気掃除機用吸込具を備えた電気掃除機の全体構成図である。図２は電気掃除機吸込具の上面外観を示す斜視図である。図３は電気掃除機吸込具の下面外観を示す斜視図である。図４は電気掃除機吸込具の拭きブラシと床面との関係を模式的に示す断面図である。図５は拭きブラシと電気掃除機吸込具の取付けを示す断面図である。図６は拭きブラシにおけるブラシ体の植毛繊維の動作を示す動作図である。
【００１２】
図１において、電気掃除機１は、電動送風機２と集塵部３を内蔵した掃除機本体４に、ホース５の一端側が接続され、ホース５の他端側には電気掃除機１の操作部（図示せず）を備えた把持部６の一端側が接続される。把持部６の他端側には延長管７の一端側が接続される。延長管７の他端側には電気掃除機用吸込具１０が接続される。
【００１３】
図２において、電気掃除機用吸込具１０は、吸込具本体１１と、延長管７の一端に接続される接続管１４と、接続管１４と吸込具本体１１とを上下方向及び左右方向に回動自在に接続する継手管１５から構成される。吸込具本体１１は、上ケース１２と下ケース１３から構成される。
【００１４】
図３において、吸込具本体１１は、略長方形形状の底面に、被掃除面における塵埃を吸引する吸引口１６が形成されている。吸引口１６の中に吸い込み風により回転駆動される回転ブラシ１７が設けられる。吸引口１６の前方で両端部には、前後方向に回動自在に支持された軟質材で覆われたのプラスチック製の２つの前ローラ１８が設けられる。拭きブラシ１９は、吸引口１６の後方で吸込具本体１１の底面の長手方向に設けられ、床面の塵埃を除塵するものである。また、拭きブラシ１９の後方には、前後方向に回動自在に支持された後ろ車輪２０が設けられる。
【００１５】
図４は、拭きブラシ１９を備える電気掃除機吸込具１０と床面２１との関係を模式的に示すものである。吸込具本体１１の下面に拭きブラシ１９が設けられ、拭きブラシ１９の先端は、床面２１に対しラッブするような位置で吸込具本体１１に取り付けられている。なお、回転ブラシ１７は図示していない。
【００１６】
図５は、拭きブラシ１９と吸込具本体１１との取付けを示す断面図である。拭きブラシ１９は、吸込具本体１１の底面の長手方向（紙面に直交する方向）に取り付けられる。拭きブラシ１９は、ブラシ体２２ａ、布状体２３、及びこれらを支持する支持部２４から構成される。
【００１７】
ブラシ体２２ａは、支持部２４により支持される非直線状の植毛繊維２５ａの束である。植毛繊維２５ａは、それぞれ一端部（根元部）が支持部２４に取り付けられる。植毛繊維２５ａは、弾力性を有するポリアミド（脂肪族のナイロン類）などの合成繊維で構成される。植毛繊維２５ａの形状は、図５に示すように波状に構成される。布状体２３は、摩擦により床面を傷つけないフェルト等の不織布で構成され、前端部（紙面左端）及び後端部（紙面右端）のみが支持部２４に超音波溶着等で固定される。したがって、ブラシ体２２ａと布状体２３とは、支持部２４に固定される部分を除き、それぞれ独立した自由端となっている。
【００１８】
支持部２４は、合成樹脂性の取付部２６の断面コの字状の枠溝２７に横方向（紙面に直交する方向）から挿入されて取り付けられる。また、取付部２６の下面が吸込具本体１１の底面より上方の位置になるように、吸込具本体１１に取り付けられる。取付部２６は、吸込具本体１１の底面の長手方向に形成された溝２８に下方から圧入挿入され、溝２８の下面開口の前縁及び後縁において底面の長手方向に形成された爪２９により抜け止めされる。
【００１９】
次に動作について説明する。
把持部６に設けられた操作部のスイッチを入れると、掃除機本体４に内蔵された電動送風機２が動作し、吸込具本体１１の下面に設けられた吸引口１６から、塵埃を含んだ空気が吸込まれ、継手管１５、接続管１４、延長管７、ホース５を経由して、集塵部３に至る。集塵部３で塵埃が除去されて、塵埃の含まない清浄な空気が電動送風機２を経由して掃除機本体４に設けられた排気口（図示せず）より排出される。
【００２０】
被掃除面が床面２１の場合、床面２１上の塵埃は吸引口１６から吸込まれるとともに、拭きブラシ１９により床面２１はカラ拭きされる。布状体２３の先端部は床面２１に対しラップする位置で取付けられているため、吸込具本体１１を床面２１に置いた状態では布状体２３は通常位置（吸込具本体１１をまっすぐ上方に浮かせた状態での形状、図６（ｃ）参照）からつぶれる方向に変形する（図６（ｄ）参照）。植毛繊維２５ａは弾力性を有しているため、変形した植毛繊維２５ａの束からなるブラシ体２２ａは弾性変形の復元力が働き、布状体２３が床面２１に対し押付けられ、塵埃などを拭きとることができる。
【００２１】
次に、電気掃除機用吸込具１０の拭き効果について、従来例である直毛タイプの植毛繊維の場合と比較して説明する。
ブラシ体２２ａの先端部分は、直毛タイプの植毛繊維に比べ広がっている（図６（ａ）参照）。直毛タイプは床方向から力が加わった場合には、植毛繊維が一定方向に寝るのに対し、波状に加工された植毛繊維２５ａの場合は、繊維全体が広がるように変形する。そのため直毛タイプの圧力が一箇所に集中するのに対し波状に加工された植毛繊維２５ａの場合は圧力が均一になり、拭きムラが少なくなる。
【００２２】
また、電気掃除機用吸込具１０を前方に押したときには、ブラシ体２２ａの先端部は根元部分に対し後方に変形し、後方に引いたときにはブラシ体２２ａ先端部は根元部分に対し前方に変形する。ブラシ体２２ａを構成する植毛繊維２５ａは波状の形状に構成されるので、弾性変形による復元の応力が分散される。つまり、電気掃除機用吸込具１０を前方に押してから後方に引くとき、または後方に引いてから前方に押すときの、植毛繊維２５ａの変形方向が逆転する際の、植毛繊維２５ａが袋状体２３を介して床面２１を押圧する力、ひいてはブラシ２２ａが袋状体２３を介して床面２１を押圧する力（反発力）も分散される。
したがって、植毛繊維２５ａを直線状に構成した従来例（図６（ｂ））と比較し、ブラシ体が床面を押圧する反発力が抑制され、電気掃除機１の操作者は、操作感がよく、使い勝手がよい。
【００２３】
また、電気掃除機１を長期間使用によって、布状体２３が破れた場合には、植毛繊維２５ａが表面に露出する虞があるが、繊維材質であるため床面を傷つけることがなく安心して使用できる。
さらに、植毛繊維２５ａ自体が床面２１に接触するが、植毛繊維２５ａは波状の形状に構成されているので、直線状に構成される場合と比較し床面２１との接触面積が大きくなり、ブラシ体２２ａにより拭く掃除が可能となる。即ち、波状形状の植毛繊維２５ａの場合は、植毛繊維２５ａが面状で広がった状態で床面に接触するため、直毛タイプに比べ拭き機能の低下を抑制することができる。
【００２４】
[実施の形態２]
実施の形態１では、植毛繊維２５ａを波状に構成した場合を示したが、図７に示すように、植毛繊維２５ｂをループ状に構成してもよい。この場合、植毛繊維２５ｂの両端部は支持部２４に取り付けられる。
【００２５】
布状体２３が破れない状態では、実施の形態１と同様の作用、効果がある。
布状体２３が破れた場合、植毛繊維２５ｂをループ状に構成すると、実施の形態１に記載の作用効果に加え、ループの先端が塵埃を掻き取るように作用するので、拭き効果が高まる。
さらに、植毛繊維２５ｂが切れないかぎり、植毛繊維２５ｂの切断端面が露出することがなく、植毛繊維２５ｂの切断端面が床面を傷つける虞がない。
【００２６】
[実施の形態３]
実施の形態２では、植毛繊維２５ｂをループ状に構成した場合を示したが、図８に示すように、植毛繊維２５ｃの先端形状をカギ状に構成してもよい。
【００２７】
布状体２３が破れない状態では、実施の形態１、実施の形態２と同様の作用、効果がある。
布状体２３が破れた場合、植毛繊維２５ｃの先端形状をカギ状に構成すると、実施の形態２と同様に、カギ状の先端が塵埃を掻き取るように作用するので、拭き効果が高まる。
【００２８】
実施の形態１乃至３では、拭きブラシを吸引口の後方に配置した例を示したが、吸引口の前方に配置してもよい。また、吸引口の前方及び後方に配置してもよい。拭きブラシの拭き効果が高まる利点がある。
また、実施の形態１乃至実施の形態３を組み合わせて実施してもよいことはいうまでもない。
【符号の説明】
【００２９】
１  電気掃除機、２  電動送風機、３  集塵部、４  電気掃除機本体、５  ホース、
６  把持部、７  延長管、１０  電気掃除機用吸込具、１１  吸込具本体、
１２  上ケース、１３  下ケース、１４  接続管、１５  継手管、１６  吸引口、
１７  回転ブラシ、１８  前ローラ、１９  拭きブラシ、２０  後ろ車輪、２１  床面、
２２  ブラシ体、２２ａ  ブラシ体、２２ｂ  ブラシ体、２２ｃ  ブラシ体、
２３  布状体、２４  支持部、２５  植毛繊維、２５ａ  植毛繊維、２５ｂ  植毛繊維、
２５ｃ  植毛繊維、２６  取付部、２７  枠溝、２８  溝、２９  爪、
１００  吸込具、１０１  吸気口、１０２  吹き部材、１０３  布状体、
１０４  弾性体、１０５  支持体
【図１】
2011010980.tif 000003
【図２】
2011010980.tif 000004
【図３】
2011010980.tif 000005
【図４】
2011010980.tif 000006
【図５】
2011010980.tif 000007
【図６】
2011010980.tif 000008
【図７】
2011010980.tif 000009
【図８】
2011010980.tif 000010
【図９】
2011010980.tif 000011
【図１０】
2011010980.tif 000012